(57)【要約】【課題】  肩こりや腰痛・筋肉痛などの患部に、蒸しタオルなどで温湿布を施すと有効であることは広く知られているが、温湿布の持続時間は短い。長時間に及ぶ発熱材と、鎮痛・消炎作用がある薬液を用いれば、温湿布と薬の相乗効果が高まるはずである。その実現が課題である。【解決手段】  半日以上にわたって発熱を持続する鉄粉の酸化による発熱材に注目しこれと鎮痛・消炎作用のある薬液を用いれば、温湿布効果で血流を促し、凝りをほぐし、薬の滲透を助長する。そこで発熱材の袋と薬液を含む吸水材の袋を接着し、これを患部に貼る治療具の開発に固執し、それを実現した。【選択図】図６
2011147744.tif 000002
【特許請求の範囲】
【請求項１】
空気と接して発熱する発熱材を封じた袋と、鎮痛消炎作用がある薬の水溶液を浸透させた吸水材を封じた袋を密着することにより、患部に温湿布効果と薬効の相乗効果をあたえる。
【発明の詳細な説明】
【技術分野】
【０００１】  本発明は肩こりや腰痛、筋肉痛などの患部に、温湿布効果と共に、鎮痛・消炎効果をもたらす貼り薬に関する。
【背景技術】
【０００２】  患部に蒸しタオルなどを当てる温湿布の効果は、人口に膾炙されている。また、患部に貼った鎮痛、消炎剤の上から温湿布をすると一層効果が増すことも知られている。この常識的民間療法を、より有効にアレンジしたいと考えた。
【発明の開示】
【発明が解決しようとする課題】
【０００３】  蒸しタオル対策は、肩凝りや腰痛などには特に有効であるが、保温時間が短いのが欠点であった。一方、鎮痛、消炎効果をもたらす貼り薬も患部に貼った直後は、薬の成分が浸透して効果を体感できるが、間もなく感覚はなくなる。本発明は従来の欠点を補い、長時間にわたり相乗的効果を高めたい。
【課題を解決する為の手段】
【０００４】  課題を達成する為の手段として、まず、患部を加熱する蒸しタオルと同じく効果を持続させる方策として、鉄粉の酸化作用で長時間発熱する使い捨てカイロに着目し、これと鎮痛、消炎作用のある薬液を浸透させた吸水材を接合させる。カイロの温熱で吸水材中の薬液も加熱されて温湿布効果が増して、血行が増進した患部に、徐徐に薬液も浸透するので、長時間にわたって効率的な治療効果が期待できる。
【０００５】  薬液を含む吸水材を密封した袋の片面には、水蒸気や薬の成分の発散口として無数の孔穴を分布しておく。尚、この面には身体に付着させるために、接着剤を塗布する。本発明は熱源のカイロの袋と、薬液を含む吸水材を封じた二つの袋を接着させ一体化させた扁平な形状である。
【０００６】  吸水材への薬液の浸透度合いは、市販のウェットティッシュよりも湿り気が高く、吸水材から溢流しないことが望ましい。なお、吸水材入りの袋の表面に分布する孔穴から、水分や薬の成分の蒸発防止策として、また、袋の表面の接着剤をカバーする目的で、接着剤の前面にフィルムを密着させておく。
【０００７】  本発明は，１辺が約７〜８ｃｍ前後の扁平状であるから、携行しやすく、且つ、手軽に患部に貼ることができる。患部に貼る場合は、吸水材入りの袋の表面のフィルムを剥がし、直接患部に貼る。
【０００８】  鉄粉の酸化作用で発熱する市販のカイロの例をあげれば、発熱時間は１２時間を超えるすぐれものである。この発熱剤は通気性のある袋に入っているので、まず、空気を遮断しておく必要がある。その対策として吸水材入りの袋と接着させて一体化したら、両者を完全に密封する袋に包容する。以下、この袋を外袋と記す。使用にあたって外袋を破れば、通気性の袋を通して発熱材は空気に触れるので、酸化が進み、徐徐に発熱する。
【０００９】  本発明で用いる薬液は、鎮痛・消炎作用がある市販の薬剤と同じようなものであれば、特に限定しない。
【００１０】  広く利用されている上記の発熱カイロの場合、低温火傷の恐れがあるので、直接患部に貼らぬように、と注意書きが添えられているが、本発明の場合は、構造上に発熱カイロ入りの袋が直接人体には接触しないので安全である。
【発明の効果】
【００１１】  上記のカイロの持続的な発熱で、吸水材の袋の孔穴から、水蒸気や薬の成分が発散することにより、温湿布同様の効果で、患部の血流を促すと共に、薬の浸透作用を、長時間にわたって助長する効果がある。
【発明を実施する為の最良の形態】
【００１２】  以下、本発明の実施の形態を図面によって詳細に説明する。
図１は袋の片面に接着剤を塗布した発熱カイロの上面図である。１は袋、２は発熱材の収容部で、この表面に接着剤を塗布しておく。図２は図１とほぼ同じ面積の袋で、内部には吸水性に富む材料に、液状の鎮痛・消炎薬の成分を浸透させた吸水材を詰めてある。３は袋で、袋の表面の４には、肌に安全な接着剤を塗布しておく。５は孔穴で水蒸気や薬の成分の排出口である。
図３は図２の横断面を示した斜視図で、６は吸水材を示した。本発明を構成するにあたって、図１について加筆すると、袋には、通気性の材料を用い、その片面のみに接着剤を塗る。図２の袋には、非通気性の材料を用いる。次に図１の接着面２に、図２の裏面を接着させたら、上面の４の接着剤を保護する為に全面にフィルム７を貼る。図４は、図１の上に図２を乗せた後、フィルム７を貼った状態を示した上面図である。
図５は完成後の上面である。ただし、この状態では発熱材を収容した袋は通気性があり、発熱材の酸化を招くので、その対策として、完成した図５を、ただちにセロハンやビニールなどの袋で密封する必要がある。図６は最終工程後の断面図で、３´は発熱材、８は空気を遮断するための袋を示した。
患部に貼り付ける場合は、まず８を破り、次にフィルム７を剥離すれば接着剤を塗布した面が現れる。患部にこの面を押し付けるだけで、まもなく発熱現象が生じる。以後、長時間にわたって、温湿布効果と薬の成分の相乗効果がつづく。
【産業上の利用可能性】  近年はパソコンなどの普及のせいか、若年層にも腰痛や肩凝り、筋肉痛を訴える人が増加していると聞く。このような症状には貼り薬が広く用いられていた。しかし、その効果は一時的で持続性が渇望されていた。
本発明は鉄粉などの酸化で発熱し、その発熱持続時間が長い使い捨てカイロに着目し、これと鎮痛・消炎効果のある成分を含む薬液を滲透した吸水材を併用し、患部に温湿布効果を与えて血流を促し、ここに薬の成分を滲透させることによる相乗効果を持続させるので治療効果を高めることができる。使用法も極めて簡単で、随時、随所で患部に貼れる長所がある。また、製造工程も単純で、薬液も従来の市販品で済む。尚、発熱材による低温火傷の心配もない。
従来、皮膚に貼った膏薬に発熱材を接触させる温熱用具があるが、蒸しタオルによる温熱効果は欠落していた。つまり、患部の血流促進や凝りを解く温湿布効果と相乗的に作用する治療効果が軽視されていた。しかし、本発明はこの空白を埋めるので、新しい治療効果を手軽に持続させることができる。
【図面の簡単な説明】
【００１４】
【図１】  本発明の熱源となる発熱材を封入した袋の上面図
【図２】  液状の鎮痛・消炎成分を浸透した吸水材を詰めた袋の上面図
【図３】  図２の横断面の斜視図
【図４】  図１に図２を密着後、上面にフィルムを接着する状態の外観図
【図５】  完成後の上面図
【図６】  完成した本発明を袋８に密封した横断面図
【符号の説明】
【００１５】２  片面に塗った接着剤
４  肌に安全な接着剤
５  孔穴
６  吸水材
７  カバー用フィルム
８  密封用袋
【図１】
2011147744.tif 000003
【図２】
2011147744.tif 000004
【図３】
2011147744.tif 000005
【図４】
2011147744.tif 000006
【図５】
2011147744.tif 000007
【図６】
2011147744.tif 000008